(57)【要約】【課題】  遊技機に設けられた前面扉の不正な解錠を防止する。【解決手段】  メダル投入口から識別メダル８５が投入される。識別メダル８５が送受信アンテナ８６の前面を通過すると、識別メダル８５のＲＦＩＤタグに記憶されている識別情報が読み取られて照合部９７に送られる。照合部９７では、識別情報と登録情報が合致するか否かの照合が行われる。識別情報と登録情報が合致している場合には、所定時間が経過するまでソレノイド６３の駆動鉄芯６５が規制片５２の下から退避する。その間に、鍵挿入穴２１に挿入した鍵５６を反時計方向に回転操作すると、連結部６０ａが連結片５１を下に押すので固定板４６が下方にスライドして、係止爪５０と突起４３の係合が外れて解錠される。識別情報と登録情報が合致していないと場合には、可動鉄芯６５が規制片５２と当接したままなので、係止爪５０と突起４３の係合が外れずに解錠されない。【選択図】        図６
2005198977.tif 000002
【特許請求の範囲】
【請求項１】
遊技機本体の前面に設けられた開閉自在の扉と、鍵の操作によって前記扉を施錠する施錠手段と、投入口から投入される遊技媒体の真偽を判別し、偽物と判別された場合には前記遊技媒体を排出口から遊技機本体の外部に排出させる遊技媒体判別手段とを備えた遊技機において、
前記鍵の操作により前記施錠手段が解錠動作することを規制する解錠規制手段と、
前記投入口と前記遊技媒体判別手段との間に設けられ、識別情報を記憶した遊技媒体を前記投入口から投入した際に、前記識別情報を記憶した遊技媒体から前記識別情報を読み出す読出し手段と、
前記識別情報に対応する登録情報を予め記憶した記憶手段と、
前記読み出された識別情報と前記記憶手段に記憶されている登録情報とを照合し、合致しているときに解錠信号を出力する照合手段と、
前記解錠信号に基づいて、前記解錠規制手段によって規制された解錠動作を許容させるよう制御する制御手段とを備え、
前記読出し手段によって前記識別情報が読み出された後、前記遊技媒体判別手段によって前記識別情報が記憶された遊技媒体が偽物であると判別されることを特徴とする遊技機。
【請求項２】
前記遊技媒体判別手段は真物の遊技媒体の外径から設定された基準値に基づいて真偽を判別しており、前記識別情報が記憶された遊技媒体は前記基準値よりも小さい外径であることを特徴とする請求項１記載の遊技機。
【請求項３】
所定時間を計時する計時手段をさらに設け、前記制御手段は前記所定時間が経過するまで前記解錠規制手段によって規制された解錠動作を許容させるよう制御することを特徴とする請求項１または２記載の遊技機。
【発明の詳細な説明】
【技術分野】
【０００１】
本発明は、パチンコ店などの遊技場に設置して使用される遊技機に関するものである。
【背景技術】
【０００２】
パチンコ店などの遊技場に設置して使用されるスロットマシンには遊技媒体としてメダルが使用されている。メダルには一定の価値が与えられ、遊技者は遊技場に設置されたメダル貸し機に硬貨を投入してその投入額に応じたメダルの貸し出しを受ける。遊技者はメダルをスロットマシンの投入口に投入してゲームを行い、ゲームを行って得たメダルは適宜の景品と交換することができる。メダルに価値が付与されていることに伴い、スロットマシンにはメダルセレクタが組み込まれている。メダルセレクタは、メダル投入口から投入され所定の案内通路を通ってきたメダルについて、材質、外径、重量などによってその適否を判別する。そして、適正なものは貯留タンクにつながるメダル通路へと送られゲームが開始される。また、不適正なものはメダル通路から分岐した排出シュートを経てメダル受け皿に排出される。
【０００３】
また、スロットマシンは、リールユニット、メダルを払い出すホッパー装置、電源装置等の各種装置や、これら各種装置の作動を制御する制御回路装置を収納した収納箱と、その前面に設けられた開閉自在な前面扉とから構成されている。通常、前面扉は専用の鍵によって施錠されており、収納箱に収納されている各種機器や制御回路装置が不正行為を目的として触れられることを防止している。
【発明の開示】
【発明が解決しようとする課題】
【０００４】
しかしながら、このようなスロットマシンでは、専用の鍵を不正に取得すると誰でも前面扉を容易に開けるとこができる。そのために、鍵が盗難にあったり、紛失した場合には、不正取得された鍵によって前面扉が解錠され、収納箱内部の各種機器や制御回路装置に不正行為が施されることを防ぐことができなかった。
【０００５】
本発明は、上記問題点を解決するためになされたものであり、前面扉の不正な解錠を防止することができる遊技機を提供することを目的とする。
【課題を解決するための手段】
【０００６】
上記目的を達成するために、本発明の遊技機は、遊技機本体の前面に設けられた開閉自在の扉と、鍵の操作によって前記扉を施錠する施錠手段と、投入口から投入される遊技媒体の真偽を判別し、偽物と判別された場合には前記遊技媒体を排出口から遊技機本体の外部に排出させる遊技媒体判別手段とを備えた遊技機において、前記鍵の操作により前記施錠手段が解錠動作することを規制する解錠規制手段と、前記投入口と前記遊技媒体判別手段との間に設けられ、識別情報を記憶した遊技媒体を前記投入口から投入した際に、前記識別情報を記憶した遊技媒体から前記識別情報を読み出す読出し手段と、前記識別情報に対応する登録情報を予め記憶した記憶手段と、前記読み出された識別情報と前記記憶手段に記憶されている登録情報とを照合し、合致しているときに解錠信号を出力する照合手段と、前記解錠信号に基づいて、前記解錠規制手段によって規制された解錠動作を許容させるよう制御する制御手段とを備え、前記読出し手段によって前記識別情報が読み出された後、前記遊技媒体判別手段によって前記識別情報を記憶した遊技媒体が偽物であると判別されることを特徴とするものである。
【０００７】
また、前記遊技媒体判別手段は真物の遊技媒体の外径から設定された基準値に基づいて真偽を判別しており、前記識別情報を記憶した遊技媒体は前記基準値よりも小さい外径であることを特徴とするものである。所定時間を計時する計時手段をさらに設け、前記制御手段は前記所定時間が経過するまで前記解錠規制手段によって規制された解錠動作を許容させるよう制御してもよい。
【発明の効果】
【０００８】
本発明によれば、遊技機本体の前面に設けられた開閉自在の扉と、鍵の操作によって扉を施錠する施錠手段と、投入口から投入される遊技媒体の真偽を判別し、偽物と判別された場合には遊技媒体を排出口から遊技機本体の外部に排出させる遊技媒体判別手段とを備えた遊技機において、鍵の操作により施錠手段が解錠動作することを規制する解錠規制手段と、投入口と遊技媒体判別手段との間に設けられ、識別情報を記憶した遊技媒体を投入口から投入した際に、識別情報を記憶した遊技媒体から識別情報を読み出す読出し手段と、識別情報に対応する登録情報を予め記憶した記憶手段と、読み出された識別情報と記憶手段に記憶されている登録情報とを照合し、合致しているときに解錠信号を出力する照合手段と、解錠信号に基づいて、解錠規制手段によって規制された解錠動作を許容させるよう制御する制御手段とを備え、読出し手段によって識別情報が読み出された後、遊技媒体判別手段によって識別情報を記憶した遊技媒体が偽物であると判別されるので、鍵の盗難にあったり、紛失した場合でも、不正取得した鍵を使用して遊技機の扉を容易に開けることができず、収納箱内に設けられた制御回路装置や、各種機器に対して不正行為を行われることを防止することができる。
【０００９】
また、遊技媒体判別手段は真物の遊技媒体の外径から設定された基準値に基づいて真偽を判別しており、識別情報を記憶した遊技媒体は基準値よりも小さい外径であるから、投入口から投入された識別情報を記憶した遊技媒体は確実に排出口から排出されるので、遊技機内で真物の遊技媒体と混ざることはなく、識別情報を記憶した遊技媒体と真物の遊技媒体との識別も容易である。所定時間を計時する計時手段をさらに設けて、制御手段は所定時間が経過するまで解錠規制手段によって規制された解錠動作を許容させるよう制御したので、識別情報を記憶した遊技媒体を投入した後で、鍵による解錠操作を行わなかった場合でも、確実に不正な扉の開放を防止できる。
【発明を実施するための最良の形態】
【００１０】
図１は、本発明のスロットマシン２（遊技機本体）の外観を示す斜視図である。このスロットマシン２は、リールユニットや電源装置等を備えた収納箱３、及びこの収納箱３の前面に開閉自在に設けられた前面扉５から構成されている。前面扉５は、収納箱３の上部を塞ぐ上扉７と下部を塞ぐ下扉８とからなり、前面扉５の開放は下扉８を開いてから上扉７を開く構造となっている。上扉７には表示窓１０が設けられ、表示窓１０の奥に第１リール１２ａ，第２リール１２ｂ，第３リール１２ｃが回転自在に組み込まれている。周知のように、これら第１〜第３リール１２ａ〜１２ｃの外周には様々な絵柄が一定ピッチで配列され、リールが停止した状態では対応する表示窓１０を通して１リール当たり３個の絵柄が観察されるようになっている。これら表示窓１０の側方にはＬＣＤパネル１３が配置されている。このＬＣＤパネル１３は、ゲーム時に演出用の画像や動画を表示させることによる演出等を行うために設けられている。
【００１１】
表示窓１０及びＬＣＤパネル１３の下方の下扉８には操作パネル１５が設けられている。この操作パネル１５には、ＭＡＸベットボタン１６、１ベットボタン１７の他に、ストップボタン１８ａ〜１８ｃ、スタートレバー１９、ペイアウトボタン２０等の各種の操作ボタンの他に、収納箱３と前面扉５との施錠を行うための鍵を挿入する鍵挿入穴２１が設けられている。また、ＬＣＤパネル１３の下方の操作パネル１５には、遊技媒体であるメダルを投入するメダル投入口２３が設けられている。なお、これらの操作ボタンやスタートレバー１７の機能については周知であるため、詳細については省略する。さらに、操作パネル１５の下には、スロットマシン２で遊技を行って入賞を得られた場合に、その入賞に対する配当枚数のメダルを払い出すためのメダル排出口２６、及びメダル受け皿２７が設けられている。
【００１２】
図２に示すように、収納箱３内の上部には、リールユニット３０が載置されている。リールユニット３０は、第１〜第３リール１２ａ〜１２ｃを各ステッピングモータとともにユニット化したもので、各ステッピングモータの駆動及び停止制御用のＩＣを実装したモータ駆動基板や、各リールの回転中にリールの基準位置に設けられた信号片の通過を検知するフォトセンサも組み込まれている。また、リールユニット３０の後部には、スロットマシンン２の動作を制御する制御回路装置３２が組み付けられている。
【００１３】
収納箱３内の下部には、ホッパー装置３３と電源装置３４が載置されている。ホッパー装置３３は、スロットマシン２で遊技を行って入賞を得た場合に作動し、入賞に対するメダルをメダル受け皿２７に払い出す。このホッパー装置３３の上部には、メダル投入口２３から投入されたメダル、及び払出し用のメダルを貯留する貯留タンク３５が設けられている。
【００１４】
上扉７の背面には、表示窓１０の上部にＬＣＤパネル１３を制御する表示部３６が組み込まれている。下扉８の背面で、メダル投入口２３の下には、後述するセレクタ３８が設けられている。さらに、収納箱３の正面の左側板３ａには、上扉７及び下扉８を回動自在に支持する軸受部４０が所定間隔を隔てて設けられている。上扉７及び下扉８の正面の右側板７ａ、８ａには、軸受部４０に挿通する回動軸４１が軸受部４０に対応する位置に設けられており、回動軸４１を軸受部４０に挿通させることで上扉７及び下扉８は収納箱３に開閉自在に組み付けられている。下扉８の左側板８ｂには、下扉８を施錠する施錠装置４５（施錠手段）が設けられている。下扉８を施錠する際は、上扉７を閉じた後に下扉８を閉じて、収納箱３の右側板３ｂに設けられた突起４３と、施錠装置４５を構成する固定板４６に設けられた係止爪を係合させると下扉８は施錠される。つまり、係止爪の係合を施錠装置４５を動作させて解除しない限り下扉８は開かないようになっている。一方、上扉７には上記のような施錠装置４５が設けられていないが、下扉８と同様に係止爪の係合で施錠され、図示しない施錠解錠レバーを引いて上扉７を開けることができるようになっている。なお、上扉７を閉じた後で下扉８を閉じると、上扉７に設けられた舌片７ｂが下扉８と収納箱３の間に挟まれるので、上扉７だけが開けられることはない。
【００１５】
図３に示すように、施錠装置４５は、固定板４６、コイルバネ４７、キーシリンダ４８等から構成されている。固定板４６の一方の縁部には、先端がフック状の係止爪５０が上下、２箇所に形成されている。さらに、係止爪５０が設けられた反対側の縁部には、連結片５１と取付片５３が突出して形成されている。固定板４６の一方の側面には、規制片５２が突出して設けられている。図に示すように、固定板４６の上下にはそれぞれ長穴４６ａが形成されており、固定板４６と下扉８の左側板８ｂの間には、図示しないスペーサを挟んで取り付け位置の調整を行い、ピン５５を長穴４６ａを介して下扉８の左側板８ｂに形成された止め穴（図示せず）に固定する。これにより、固定板４６は上下方向にスライド自在に取り付けられる。なお、図２に示すように、固定板４６は係止爪５０の先端を収納箱３に向けて配置される。
【００１６】
キーシリンダ４８は、操作パネル１５の設けられた鍵挿入穴２１の裏側に固定されている。キーシリンダ４８の後面には、鍵挿入穴２１を介してキーシリンダ４８に挿入された鍵５６の操作に連動して回転する回転軸が設けられている。この回転軸には連結部材６０がカシメ締めされている。連結部材６０は、所定のピッチ間隔で２箇所に連結部６０ａ，６０ｂが形成され、これら連結部６０ａ，６０ｂの間には、連結片５１が入り込む。これにより、鍵５６を反時計方向（図中Ａ方向）に回転させた場合には、連結部６０ａが連結片５１を下方（図中Ｃ方向）に押圧し、固定板４６は、係止爪５０と突起４３の係合が外れる解除位置（図６参照）にスライドする。また、鍵５６を時計方向（図中Ｂ方向）に回転させた場合には、連結部６０ｂが連結片５１を上方（図中Ｄ方向）に押圧し、固定板４６は、係止爪５０と突起４３が係合する係合位置（図５参照）にスライドする。
【００１７】
取付片５３は、固定板４６の下方に設けられており、コイルバネ４７の一端が取り付けられる。また、下扉８の左側板８ｂの内側にも取付片５４が設けられており、コイルバネ４７の他端が取り付けられる。従って、コイルバネ４７は常に係止爪５０を突起４３と係合させる方向（図中Ｄ方向）に付勢力を与えているので、下扉８は鍵５６によって解錠操作が行われない限り、係止爪５０と突起４３は係合位置で係合した状態（施錠した状態）で保持される。
【００１８】
キーシリンダ４８の下側には、固定板４６が解除位置にスライドすることを規制するソレノイド６２が設けられている。解錠規制手段の一部であるソレノイド６２は、後述する識別部に設けられたＣＰＵによって動作が制御される。上扉７及び下扉８が閉じられており、収納箱３と下扉８が施錠されている状態では、ソレノイド６２には通電が停止されている。そのため、ボビン６３から駆動鉄芯６５が突出しており、駆動鉄芯６５と規制片５２が当接する。これにより、固定板４６は係合位置から解除位置へのスライドが可動鉄芯６５によって規制されている。また、固定板４６を係合位置から解除位置にスライドさせる際には、ＣＰＵがソレノイド６２に通電させることによって、ボビン６３内に巻かれたコイル（図示せず）によって磁界が発生し、駆動鉄芯６５をボビン内に引き込む。これにより、駆動鉄心６５が規制片５２の下部から退避するので、固定板４６は解除位置にスライドが可能となる。
【００１９】
図４に示すように、遊技媒体判別手段であるセレクタ３８は、メダル通路７０、ガイド板７１、第１メダルセンサ７２、第２メダルセンサ７３等から構成されている。メダル通路７０は、鉛直路７５、傾斜路７６、屈曲路７７から構成されている。鉛直路７５は、メダル投入口２３から投入されたメダルをセレクタ３８まで案内する案内通路と連通し、鉛直方向にメダルを落下させる。傾斜路７６は、鉛直路７５から落下してきたメダルを斜め下方に転動させる。屈曲路７７は、略くの字形状をしており、傾斜路７６を転動してきたメダルの進行方向を略９０度右方向に変更させて、メダルを貯留タンク３５へと導く。
【００２０】
メダル通路７０は、上部の通路幅より下部の通路幅が広く形成されている。そのため、鉛直路７５から転動してきたメダルは、傾斜路７６では起立状態より傾いた状態で転動する。傾斜路７６と平行する上側には、傾斜路７６の上側の一部を形成するガイド板７１が設けられている。ガイド板７１は、ガイド板７１の一方の端面７１ａから傾斜路７６の下部の通路までの隙間が基準値Ｌとなるように設けられている。この基準値Ｌは、正規（真物）のメダルの外径より僅かに短い長さとなっている。また、ガイド板７１の他方の端面７１ｂには、軸部８０と図示しないメダル選別用ソレノイド及びバネが設けられている。なお、メダル投入口２３やメダル通路７０は、正規メダルの外径及び厚みより僅かに大きく形成されている。そのため、正規のメダルよりも明らかに大きい外径や厚みを有した不正規（偽物）なメダルは投入できない。
【００２１】
図４に示すように、ガイド板７１はメダル選別用ソレノイドの励磁作用とバネの復元力によって、軸部８０を回動支点としてメダルをガイドするガイド位置と、メダルを傾斜路７６から脱落させる排出位置の間で回動自在に設けられている。メダルが投入される場合には、メダル選別用ソレノイドがオンとなり、励磁作用が働くことでガイド板７１は傾斜路７６の壁面方向に付勢されたガイド位置となる。そのため、正規のメダルを投入するとガイド板７１の一方の端面７１ａは、傾斜路７６を傾いて転動通過する正規のメダルの外径縁部を僅かに規制してガイドする。このガイド位置において、メダルは傾斜路７６の壁面とガイド板７１の一方の端部７１ａの間を転動する。また、クレジットが上限まで加算されている場合や、ゲーム実行中などではメダル選別用ソレノイドがオフとなり、ガイド位置にあったガイド板７１はバネの復元力によって、傾斜路７６の壁面から離れる排出位置に回動する。これにより、傾斜路７６で傾いて転動するメダルは、ガイド板７１によってガイドされないために、メダルの自重によって傾斜路７６から図中矢印方向に脱落し、セレクタ３８と通路カバー８１（図２参照）の間を介して排出口２６から排出される。もし、正規のメダルよりも外径の小さい不正規なメダルが投入された場合には、ガイド板７１がガイド位置にあっても、不正規なメダルの外径が基準値Ｌよりも小さいのでガイド板７１で不正規なメダルの頂部をガイドすることができない。そのため、不正規なメダルはセレクタ３８と通路カバー８１の間から落下して排出口２６から排出される。
【００２２】
また、傾斜路７６の壁面には、第１メダルセンサ７２及び第２メダルセンサ７３が設けられている。第１及び第２メダルセンサ７２，７３は、例えば、投光部と受光部とを一体に備えた反射型の光電センサであって、鉛直路７５側から順に第１メダルセンサ７２、第２メダルセンサ７３の順で設けられている。メダルが傾斜路７６を通過する際に、第１メダルセンサ７２や第２メダルセンサ７３の投光部の光路を遮蔽すると、投光部から投射した光がメダルに反射する。この反射光が受光部で受光されると光電センサはオンとなる。これにより、第１及び第２メダルセンサ７２、７３が同時にオンになった検出信号に基づいて、収納箱３に設けられた制御回路装置３２によって投入されたメダルが計数される。      
【００２３】
スロットマシン２には、前面扉５が不正規に開けられるのを防止するために解錠規制手段であるソレノイド６２（図３参照）、送受信アンテナ８６、読出し手段であるＲＦＩＤリーダ／ライタ（Ｒ／Ｗ）８７と、識別部８８が設けられている。
【００２４】
ソレノイド６２によって固定板４６の係合位置から解除位置へのスライドの規制を許容するために、メダル投入口２３から識別情報を記憶した遊技媒体である識別メダル８５が投入される。識別メダル８５は、メダル形状のケース８５ａに無線式非接触型ＩＤタグ（ＲＦＩＤタグ）８９が組み込まれている。ＲＦＩＤタグ８９は、コイル状のアンテナ９０と、このアンテナ９０に接続されたＩＣチップ９１とから構成されている。なお、識別メダル８５の外径は、前述の基準値Ｌよりも小さい。そのため、メダル投入口２３から投入された識別メダル８５は、鉛直路７５を通過後に、傾斜路７６のガイド板７１でガイドされないので、傾斜路７６から脱落してセレクタ３８と通路カバー８０の間を介して排出口２６から排出される。
【００２５】
送受信アンテナ８６は、セレクタ３８の鉛直路７５の壁面に設けられており、ＲＦＩＤ  Ｒ／Ｗ８７と接続されている。送受信アンテナ８６は、ＲＦＩＤ  Ｒ／Ｗ８７から受けた電波を電磁誘導によって電力として蓄積し、これをエネルギーとしてＩＣチップ９１を動作させる。ＩＣチップ９１には、各種データが記録可能なメモリと、送受信アンテナ８６を介してＲＦＩＤ  Ｒ／Ｗ８７と通信を行なう通信回路とが設けられている。ＲＦＩＤ  Ｒ／Ｗ８７は、ＩＣチップ９１に記憶されている情報の読み出しや、ＩＣチップ９１に新たな情報の書き込みを行う。
【００２６】
識別部８８は、制御回路装置３２に設けられている。図５にも示すように、識別部８８には制御手段であるＣＰＵ９３、記憶手段であるＥＥＰＲＯＭ９５、計時手段であるタイマ９６及び照合手段である照合部９７が設けられている。ＣＰＵ９３は識別部８８の各部の制御処理を実行する。ＥＥＰＲＯＭ９５は、このＣＰＵ９３が処理する各種データや識別情報に対応する登録情報を格納している。
【００２７】
メダル投入口２３から投入された識別メダル８５が、鉛直路７５に設けられた送受信アンテナ８６の前面を通過すると、ＲＦＩＤタグ８９に記憶された識別情報が、送受信アンテナ８６を介してＲＦＩＤ  Ｒ／Ｗ８７に読み出される。読み出された識別情報とＥＥＰＲＯＭ９５に予め登録されている登録情報は、ＣＰＵ９３によって照合部９６に送られる。照合部９６では、識別情報と登録情報とが合致しているか否かの照合が行われる。
【００２８】
識別情報と登録情報が合致している場合には、照合部９６から解錠信号がＣＰＵ９３に送られる。この解錠信号を受けたＣＰＵ９３は、タイマ９６で所定時間の計時を開始させるとともに、計時される所定時間が経過するまでソレノイド６２に通電を行う。これにより、図６に示すように、ソレノイド６２の駆動鉄芯６５がボビン６３に引き込まれるので、鍵５６の反時計方向（図中Ａ方向）への回転操作に伴い、固定板４６は係合位置から図中Ｃ方向の解除位置（図６参照）にスライドする。よって、係止爪５０と突起４３の係合が外れて解錠されるので、下扉８を開くことができる。タイマ９６による所定時間が経過すると、ＣＰＵ９３はソレノイド６２への通電を停止するとともに、タイマ９６をリセットする。これにより、ボビン６３に引き込まれていた駆動鉄芯６５が突出して規制片５２と再び当接する。そのために、所定時間の経過後に鍵５６を回転操作させて解錠をしようとしても、固定板４６はソレノイド６２の駆動鉄芯６５によって解除位置へのスライドが規制されているので解錠できない。なお、タイマ９６により計時される所定時間としては、鍵５６の操作を行うために十分な時間が適宜設定されるのが好ましい。
【００２９】
また、識別情報と登録情報が合致していない場合、及び識別情報が記録されていないメダル（例えば、正規メダル）が投入された場合には、照合部９７から解錠信号が出力されないので、図５に示しように、タイマ９６による所定時間の計時は行われず、ソレノイド６２の通電も停止されたままなので、駆動鉄芯６５がボビン６３から突出したまま規制片５２と当接している。これにより、鍵５６による回転操作が行われても、固定板４６は解除位置へのスライドが規制されたままなので、下扉８は解錠できない。
【００３０】
さらに、識別メダル８５が鉛直路７５の送受信アンテナ８６の前面を通過する際に、ＲＦＩＤ  Ｒ／Ｗ８７によってＩＣチップ９１のメモリには投入履歴情報が書き込まれる。この投入履歴情報としては、例えば識別メダル８５がスロットマシン２に投入された日時である。この投入履歴情報をＲＦＩＤタグ８９のＩＣチップ９１に記録しておくことで、前面扉５がいつ開放されたのかを確認することができる。
【００３１】
次に、上記構成のスロットマシン２の作用について説明する。スロットマシン２のゲームの設定変更や各種機器の調整を行うには、下扉８を解錠して上扉７を開放する必要がある。この場合、遊技場の作業者は鍵５６と識別メダル８５を用いて下扉８を解錠する。図７のフローチャートに示すように、先ず、メダル投入口２３から識別情報の記録された識別メダル８５を投入する。投入された識別メダル８５は、セレクタ３８に設けられた鉛直路７５を通過する。この時に、識別メダル８５に内蔵されたＲＦＩＤタグ８９に記憶されている識別情報が鉛直路７５に設けられた送受信アンテナ８６を介してＲＦＩＤ  Ｒ／Ｗ８７に読み取られるとともに、ＲＦＩＤタグ８９のＩＣチップ９１には、ＲＦＩＤ  Ｒ／Ｗ８７によって投入履歴情報として識別メダル８５を投入した日時が記録される。セレクタ３８の鉛直路７５から傾斜路７６に転動してきた識別メダル８５は、正規のメダルに比べて外径が小さいために、ガイド板７１でガイドされずに傾斜路７６から脱落して排出口２６から排出される。
【００３２】
読み取られた識別情報は照合部９７に送られる。照合部９７では、識別情報とＥＥＰＲＯＭ９５に記録されている登録情報とが合致しているか否かが照合される。識別情報と登録情報が合致していると、タイマ９６が所定時間の計時を開始する。ＣＰＵ９３は、所定時間が経過するまでソレノイド６２に通電を行う。これにより、規制片５２に当接していた駆動鉄芯６５が規制片５２の下から退避する。よって、鍵挿入穴２１に挿入した鍵５６を反時計方向に回転操作すると、固定板４６が解除位置（図６参照）にスライドして、係止爪５０と突起４３の係合が外れるので下扉８が解錠される。下扉８を開放した後に上扉７を開放することで、前面扉５は収納箱３から開けられる。
【００３３】
識別情報と登録情報が合致しない場合、または識別情報が読み出せない場合には、図５にも示すように、固定板４６の規制片５２に当接している駆動鉄芯６５は、規制片５２の下から退避しないので、鍵挿入穴２１に挿入した鍵５６を反時計方向に回転操作しても固定板４６の解除位置へのスライドが駆動鉄芯６５によって規制されている。これにより、下扉８は解錠されない。従って、不正取得した鍵５６のみを使用して前面扉５を開放しようとしても、開放することはできない。
【００３４】
また、上記実施形態では、識別情報と登録情報が合致した場合に、タイマ９６によって所定時間を計時し、この所定時間が経過するまでソレノイド６２に通電を行ったが、図８のフローチャートに示すように、識別情報と登録情報が合致した場合は、所定時間に関係なくソレノイド６２に通電を行ってもよい。
【００３５】
この場合は、識別メダル８５が投入されて、読み出された識別情報が登録情報と合致すると、ソレノイド６２のボビン６３に駆動鉄芯６５が引き込まれる。よって、駆動鉄芯６５が固定板４６に設けられた規制片５２の下から退避するために固定板４６のスライドが許容される。鍵５６による回転操作が行われると、固定板４６が解除位置にスライドするために、突起４３と係合爪５０の係合が外れて下扉８が解錠される。また、識別情報と登録情報が合致しない場合は、駆動鉄芯６５はボビン６３に引き込まれないために、固定板４６のスライドが規制されたままなので下扉８は解錠されない。なお、下扉８が解錠された後、解錠位置にスライドしていた固定板４６が、ネジリバネ４７の付勢力によって係合位置にスライドすると、ボビン６３内に引っ込んでいた可動鉄芯６５が突出して規制片５２と当接する。また、前面扉５が閉じられた際にボビン６３から可動鉄心６５を突出させて固定板４６のスライドを規制してもよい。
【００３６】
なお、上記実施形態では、識別メダル８５のＲＦＩＤタグ８９とＥＥＰＲＯＭ９５には、予め識別情報とこの識別情報に対応した登録情報を記録させたが、これに限らず、例えば識別メダル８５を紛失した場合に、ＲＦＩＤ  Ｒ／Ｗ８７によって新しい識別メダルのＲＦＩＤタグ８９に新しい識別情報を書き込んでもよい。この場合は、ＲＦＩＤタグ８９に書き込んだ新しい識別情報はＣＰＵ９３に送られる。ＣＰＵ９３は、この識別情報を登録情報としてＥＥＰＲＯＭ９５に記録させる。このとき、紛失した識別メダルに記録されていた識別情報に対応する登録情報をＥＥＰＲＯＭ９５から消去することで、紛失した識別メダルを作業者以外の人物が所得しても不正規に使用されることがなく、作業者は今まで通りに新しい識別メダルと鍵を使用して前面扉５を開放することができる。
【００３７】
また、遊技場の作業者ごとに個別の識別情報を設け、この個別の識別情報に対応した登録情報をＥＥＰＲＯＭ９５に記録させてもよい。この場合は、識別メダル８５から読み出された個別の識別情報を複数の登録情報と照合して、合致した場合に固定板４６のスライドを許容させて下扉８の解錠を行う。
【００３８】
また、ＲＦＩＤ  Ｒ／Ｗ８７によってＲＦＩＤタグ８９のＩＣチップ９１に投入履歴情報を記録したが、この投入履歴情報をＥＥＰＲＯＭ９５に記録してもよい。この場合は、識別メダル８５が投入され、ＲＦＩＤ  Ｒ／Ｗ８７によって読み出された識別情報がＣＰＵ９３に送られたことに応答して、ＣＰＵ９３はＥＥＰＲＯＭ９５に投入日時を記録させる。もし、作業者ごとに個別の識別情報が設けられている場合は、記録する投入履歴情報としては、識別メダル８５が投入された日時だけでなく、投入された識別メダル８５に記憶されている識別情報も記録することが好ましい。これにより、前面扉５の開放がいつ、誰に行われたかを確認することができるので不正な前面扉５の解錠の防止及び発見ができる。
【００３９】
さらにまた、上記実施形態では、基準値Ｌよりも小さい外径の識別メダル８５を用いたが、識別メダルの外径は正規メダルの外径と異なれば、基準値Ｌよりも大きくてもかまわない。この場合は、ガイド板７１によって識別メダルはガイドされてしまうが、メダル投入口２３からセレクタ３８のガイド板７１までの間に、投入された識別メダルの外径が正規メダルの外径とは異なることを検出するセンサを設ける。そして、このセンサによって正規メダルと判断できる外径誤差の許容範囲を超えたメダルが投入されてきた時には、識別メダルが投入されたと判断して、セレクタ３８のガイド板７１はガイド位置から排出位置に回動する。これにより、識別メダルの外径が基準値Ｌより大きい場合であっても、識別メダルは傾斜路７６から脱落して排出口２６から排出される。
【００４０】
また、ソレノイド６２によって固定板４６のスライドを規制することで、不正に前面扉５が解錠されることを防止しているが、これに限らず、固定板４６の規制片５２に係合する規制部材を設けて、モータ駆動やシリンダなどでこの規制部材を係合位置と解除位置の間で移動させることで不正な前面扉５の解錠の防止してもよい。
【図面の簡単な説明】
【００４１】
【図１】本発明を用いたスロットマシンの外観を示す斜視図である。
【図２】スロットマシンに内部を示す斜視図である。
【図３】施錠装置の分解斜視図である。
【図４】セレクタの構成を示す斜視図である。
【図５】施錠時の固定板の状態を示す説明図である。
【図６】解錠時の固定板の状態を示す説明図である。
【図７】所定時間内に下扉の解錠の流れ示すフローチャートである。
【図８】下扉の解錠の流れ示すフローチャートである。
【符号の説明】
【００４２】
２  スロットマシン（遊技機本体）
５  前面扉
７  上扉
８  下扉（扉）
２１  鍵挿入穴
２３  投入口
２６  排出口
３８  セレクタ（遊技媒体判別手段）
４５  施錠装置（施錠手段）
５６  鍵
６２  ソレノイド（解錠規制手段）
７０  メダル通路
８５  識別メダル（識別情報を記憶した遊技媒体）
８６  送受信アンテナ（解錠規制手段）
８７  ＲＦＩＤ  Ｒ／Ｗ（読出し手段）
８８  識別部
９３  ＣＰＵ（制御手段）
９５  ＥＥＰＲＯＭ（記憶手段）
９６  タイマ（計時手段）
９７  照合部（照合手段）
【図１】
2005198977.tif 000003
【図２】
2005198977.tif 000004
【図３】
2005198977.tif 000005
【図４】
2005198977.tif 000006
【図５】
2005198977.tif 000007
【図６】
2005198977.tif 000008
【図７】
2005198977.tif 000009
【図８】
2005198977.tif 000010